(57)【要約】【課題】コンパクトに折り畳むことができる顕微鏡を提供する。【解決手段】ベース部１１と、ベース部に取り付けられた支柱１８と、支柱に取り付けられたアーム部２２と、アーム部に取り付けられた鏡筒組立体３４とを備えた顕微鏡１０であって、支柱１８は、所定長さの棒状体で形成され、一方側がベース部１１の第１回動軸部１７により回動自在に接続され、他方側がアーム部２２の鏡筒組立体３４が取り付けられた側と反対側に設けられたアームジョイント２３と第２回動軸部２１により回動自在に接続され、ベース部１１を支柱１８に対して第１回動軸部１７を軸として回動させ、支柱１８と隣接し、平行となる第１折り畳み位置に配置させ、第１折り畳み位置のベース部１１及び支柱１８を、アーム部１１に対して第２回動軸部２１を軸として回動させ、支柱１８がアーム部２２と水平となる第２折り畳み位置に配置させることができる。【選択図】図２
0003188006.tif 000002
【実用新案登録請求の範囲】
【請求項１】
載置面上に載置されるベース部と、前記ベース部に対して垂直に取り付けられた支柱と、前記支柱に取り付けられたアーム部と、前記アーム部に取り付けられた少なくとも接眼レンズ、対物レンズ及び鏡筒を有する鏡筒組立体とを備えた顕微鏡であって、
前記支柱は、所定長さの棒状体で形成され、一方側が前記ベース部の第１回動軸部により回動自在に接続され、他方側が前記アーム部の前記鏡筒組立体が取り付けられた側と反対側に設けられたアームジョイントと第２回動軸部により回動自在に接続され、
前記第１回動軸部及び前記第２回動軸部の各回動軸は、前記支柱の長手方向に対して垂直方向に設けられており、
前記ベース部を前記支柱に対して前記第１回動軸部を軸として回動させ、前記支柱と隣接し、平行となる第１折り畳み位置に配置させ、
前記第１折り畳み位置の前記ベース部及び前記支柱を、前記アーム部に対して前記第２回動軸部を軸として回動させ、前記支柱が前記アーム部と水平となる第２折り畳み位置に配置させることができることを特徴とする顕微鏡。
【請求項２】
前記ベース部は、前記ベース部の中心部を中心として対称に設けられた長尺の第１ベース及び第２ベースを有し、前記第１ベース及び前記第２ベースは、それぞれの前記支柱側が前記ベース部に設けられたベース回動軸部を軸として開閉されるように回動自在に接続されており、
前記支柱は、前記ベース部の前記第１ベース及び前記第２ベースの間で第１回動軸部により回動自在に接続され、
前記アーム部は所定の幅を有する板状体で形成され、前記アームジョイントが設けられた側の上方部には一部が切りかかれたベース部収容部が設けられており、
前記第２折り畳み位置に配置させたとき、前記ベース部の前記ベース回動軸部を前記アーム部の前記ベース部収容部に配置させ、
前記第２折り畳み位置の前記ベース部の前記ベース回動軸部を軸として回動させ、前記第１ベース及び前記第２ベースを閉じる第３折り畳み位置に配置させることができることを特徴とする請求項１に記載の顕微鏡。
【請求項３】
前記アーム部の前記鏡筒組立体が取り付けられた側の下方部は、一部が切りかかれ、所定面積のステージが取り付けられたステージ配置部が設けられており、
前記ステージは、前記ステージ配置部に設けられたステージ回動軸部により、前記アーム部に対して水平状態と垂直状態とを変更可能なように回動自在に設けられていることを特徴とする請求項１又は２に記載の顕微鏡。
【請求項４】
前記アーム部の前記ベース部収容部が設けられた側と反対側には、ミラーユニットが設けられており、
前記ミラーユニットは、前記ステージ下に配置されるミラーと、一方に前記ミラーが取り付けられ、他方に前記アーム部に取り付けられる一部が直角に屈曲されたミラーポールとを有し、
前記ミラーポールは、前記アーム部に取り付けられた側が前記アーム内を出し入れ自在に設けられていることを特徴とする請求項３に記載の顕微鏡。
【請求項５】
前記鏡筒組立体は、前記鏡筒が前記アーム部の前記ベース部収容部とは反対側に取り付けられ、
前記鏡筒の前記ステージ側には前記対物レンズが設けられ、前記鏡筒内には前記対物レンズの反対側から前記鏡筒内を摺動可能な筒状のスリーブが内包されており、
前記スリーブの先端部には前記接眼レンズ及び前記スリーブの先端部が覆われるスリーブカバーが交換可能に取り付けることができることを特徴とする請求項３又は４に記載の顕微鏡。
【請求項６】
前記ベース中心部には、一方に前記ベース回動軸部が設けられ、他方に前記第１回動軸部が設けられたベースジョイントを有しており、
前記ベース部と前記支柱とは前記ベースジョイントを介して取り付けられていることを特徴とする請求項２〜５のいずれかに記載の顕微鏡。
【請求項７】
前記アーム部と前記鏡筒組立体との間には、前記鏡筒組立体の高さを調整する粗動ハンドル機構を備えた粗動ハンドルユニットが設けられていることを特徴とする請求項１、２又は５に記載の顕微鏡。
【請求項８】
前記アーム部には、前記粗動ハンドルユニットの位置を調整する微動ハンドル機構が設けられていることを特徴とする請求項７に記載の顕微鏡。
【考案の詳細な説明】
【技術分野】
【０００１】
本考案は、不使用時に折り畳むことでコンパクトにできる顕微鏡に関する。
【背景技術】
【０００２】
不使用時にコンパクトに効率的に整列させて保管収容できる顕微鏡の発明が下記特許文献１に開示されている。下記特許文献１に開示された顕微鏡の発明では、載置面に載置セットされる基台に立設させた支柱に、顕微鏡観察する光学系を設けてある顕微鏡において、基台には、基台の左右側方に引き出し自在な脚片、あるいは基台の前方に引き出し自在な収納ボックスの少なくともいずれか一方を備えているとしている。そして、脚片は、基台底部の左右部に区画形成してある脚片収納部に水平面で揺動自在に軸支することで、また、脚片の軸支位置は基台の前部側に設定することで構成することができるとしている。
【０００３】
このような構成とすることで、下記特許文献１に開示された顕微鏡の発明によれば、基台の左右側方に引き出された脚片は、顕微鏡本体を所定の載置面に載置したときの載置安定性を確保させ、顕微鏡観察時の観察対象物に対する揺れその他を防止し、精密な観察を可能にさせ、また、脚片を脚片収納部内に格納したときには、基台のみの幅員となって例えば左右方向に沿って多数で整列させて保管収納するとき、その占有面積を最小にしてコンパクトに纏めることができるとしている。また、脚片は、基台の前部側にその軸支位置を設定して揺動自在にしてあることで、基台の後部である支柱側が拡開して載置時の安定性を一層向上させることができるようになっている。
【先行技術文献】
【特許文献】
【０００４】
【特許文献１】特開２０１２−１９８４５０号公報
【特許文献２】特許第４５０６３５１号公報
【特許文献３】特開２０１０−２００２９１号公報
【考案の概要】
【考案が解決しようとする課題】
【０００５】
上記特許文献１に開示された顕微鏡では、不使用時において、脚片を格納することによりコンパクト化を図っている。しかし、格納できるのが脚片のみであるため、顕微鏡自体のコンパクト化には限界がある。また、上記特許文献２に開示されたカメラスタンドの発明や上記特許文献３に開示された画像読取装置の発明のように、折り畳むことでコンパクトにし、携帯性を高めることができる各種の機器が知られているが、これらの構造をそのまま顕微鏡に適用することは困難である。
【０００６】
本考案者は、このような従来技術の問題点及び解決すべき課題に鑑みて種々実験を重ねた結果、顕微鏡を構成するベース部及び支柱等を折りたたむことができる構造とすることで、不使用時の顕微鏡をよりコンパクトに折り畳むことができることを見出し、本考案を完成するに至ったものである。
【０００７】
すなわち、本考案の目的は、不使用時に、よりコンパクトに折り畳むことができる顕微鏡を提供することにある。
【課題を解決するための手段】
【０００８】
上記課題を解決するために、本考案の第１の態様の顕微鏡は、載置面上に載置されるベース部と、前記ベース部に対して垂直に取り付けられた支柱と、前記支柱に取り付けられたアーム部と、前記アーム部に取り付けられた少なくとも接眼レンズ、対物レンズ及び鏡筒を有する鏡筒組立体とを備えた顕微鏡であって、
前記支柱は、所定長さの棒状体で形成され、一方側が前記ベース部の第１回動軸部により回動自在に接続され、他方側が前記アーム部の前記鏡筒組立体が取り付けられた側と反対側に設けられたアームジョイントと第２回動軸部により回動自在に接続され、
前記第１回動軸部及び前記第２回動軸部の各回動軸は、前記支柱の長手方向に対して垂直方向に設けられており、
前記ベース部を前記支柱に対して前記第１回動軸部を軸として回動させ、前記支柱と隣接し、平行となる第１折り畳み位置に配置させ、
前記第１折り畳み位置の前記ベース部及び前記支柱を、前記アーム部に対して前記第２回動軸部を軸として回動させ、前記支柱が前記アーム部と水平となる第２折り畳み位置に配置させることができることを特徴とする。
【０００９】
また、第２の態様の顕微鏡は、第１の態様の顕微鏡において、前記ベース部は、前記ベース部の中心部を中心として対称に設けられた長尺の第１ベース及び第２ベースを有し、前記第１ベース及び前記第２ベースは、それぞれの前記支柱側が前記ベース部に設けられたベース回動軸部を軸として開閉されるように回動自在に接続されており、
前記支柱は、前記ベース部の前記第１ベース及び前記第２ベースの間で第１回動軸部により回動自在に接続され、
前記アーム部は所定の幅を有する板状体で形成され、前記アームジョイントが設けられた側の上方部には一部が切りかかれたベース部収容部が設けられており、
前記第２折り畳み位置に配置させたとき、前記ベース部の前記ベース回動軸部を前記アーム部の前記ベース部収容部に配置させ、
前記第２折り畳み位置の前記ベース部の前記ベース回動軸部を軸として回動させ、前記第１ベース及び前記第２ベースを閉じる第３折り畳み位置に配置させることができることを特徴とする。
【００１０】
また、第３の態様の顕微鏡は、第１又は２の態様の顕微鏡において、前記アーム部の前記鏡筒組立体が取り付けられた側の下方部は、一部が切りかかれ、所定面積のステージが取り付けられたステージ配置部が設けられており、
前記ステージは、前記ステージ配置部に設けられたステージ回動軸部により、前記アーム部に対して水平状態と垂直状態とを変更可能なように回動自在に設けられていることを特徴とする。
【００１１】
また、第４の態様の顕微鏡は、第３の態様の顕微鏡において、前記アーム部の前記ベース部収容部が設けられた側と反対側には、ミラーユニットが設けられており、
前記ミラーユニットは、前記ステージ下に配置されるミラーと、一方に前記ミラーが取り付けられ、他方に前記アーム部に取り付けられる一部が直角に屈曲されたミラーポールとを有し、
前記ミラーポールは、前記アーム部に取り付けられた側が前記アーム内を出し入れ自在に設けられていることを特徴とする。
【００１２】
また、第５の態様の顕微鏡は、第３又は第４の態様の顕微鏡において、前記鏡筒組立体は、前記鏡筒が前記アーム部の前記ベース部収容部とは反対側に取り付けられ、
前記鏡筒の前記ステージ側には前記対物レンズが設けられ、前記鏡筒内には前記対物レンズの反対側から前記鏡筒内を摺動可能な筒状のスリーブが内包されており、
前記スリーブの先端部には前記接眼レンズ及び前記スリーブの先端部が覆われるスリーブカバーが交換可能に取り付けることができることを特徴とする。
【００１３】
また、第６の態様の顕微鏡は、第２〜第５のいずれかの態様の顕微鏡において、前記ベース中心部には、一方に前記ベース回動軸部が設けられ、他方に前記第１回動軸部が設けられたベースジョイントを有しており、
前記ベース部と前記支柱とは前記ベースジョイントを介して取り付けられていることを特徴とする。
【００１４】
また、第７の態様の顕微鏡は、第１、２又は第５の態様の顕微鏡において、前記アーム部と前記鏡筒組立体との間には、前記鏡筒組立体の高さを調整する粗動ハンドル機構を備えた粗動ハンドルユニットが設けられていることを特徴とする。
【００１５】
また、第８の態様の顕微鏡は、第７の態様の顕微鏡において、前記アーム部には、前記粗動ハンドルユニットの位置を調整する微動ハンドル機構が設けられていることを特徴とする。
【考案の効果】
【００１６】
第１及び第２の態様の顕微鏡によれば、不使用時にはベース部及び支柱を折り畳むことでコンパクト化を図ることができる。
【００１７】
また、第３の態様の顕微鏡によれば、不使用時にはプレパラート等を載置するステージをアーム部と水平にすることで、よりコンパクト化を図ることができる。
【００１８】
また、第４の態様の顕微鏡によれば、不使用時には、ミラーを含むミラーユニットをアーム部に押し込めることができるので、よりコンパクト化を図ることができるようになる。
【００１９】
また、第５の態様の顕微鏡によれば、鏡筒内のスリーブが摺動可能に設けられることで、顕微鏡の不使用時には、スリーブの接眼レンズをスリーブカバーに交換し、スリーブを鏡筒内に押し込めることで、鏡筒組立体のよりコンパクト化を図ることができる。
【００２０】
また、第６の態様の顕微鏡によれば、ベースジョイントを設けることで、ベース部のベース回動軸部及び支柱の第１回動軸部を形成しやすくなり、また、ベースジョイントを介することで回動させやすくなる。
【００２１】
また、第７の態様の顕微鏡によれば、不使用時には、粗動ハンドルユニットにより鏡筒組立体を最も低い位置に配置することで、よりコンパクト化を図ることができる。
【００２２】
また、第８の態様の顕微鏡によれば、微動ハンドルユニットをアーム部に備えるようにすることで、部品点数を減らせるようになり、コンパクト化を図ることができる。
【図面の簡単な説明】
【００２３】
【図１】図１Ａは実施形態の使用状態の顕微鏡の正面側から見た斜視図であり、図１Ｂは背面側から見た斜視図である。
【図２】図２Ａは実施形態の折り畳まれた状態の顕微鏡の正面側から見た斜視図であり、図２Ｂは背面側から見た斜視図である。
【図３】実施形態の顕微鏡の分解斜視図である。
【図４】図４Ａはベース部、ベースジョイント及び支柱を組み合わせた状態の底面側から見た斜視図であり、図４Ｂは分解斜視図である。
【図５】図５Ａはアーム部、ステージ及びミラーユニットを組み合わせた状態の正面側から見た斜視図であり、図５Ｂは図５Ａの状態から一部部品を削除した状態の背面側から見た斜視図である。
【図６】図６Ａ〜図６Ｃは実施形態の顕微鏡の折り畳みを説明する斜視図である。
【図７】図７Ａ及び図７Ｂは図６Ｃに続く折り畳みを説明する斜視図である。
【図８】図８Ａ及び図８Ｂは図７Ｂに続く折り畳みを説明する斜視図である。
【考案を実施するための形態】
【００２４】
以下、図面を参照して本考案の実施形態を説明する。但し、以下に示す実施形態は、本考案の技術思想を具体化するための顕微鏡を例示するものであって、本考案をこれに特定することを意図するものではない。本考案は、実用新案登録請求の範囲に含まれるその他の実施形態のものにも等しく適応し得るものである。
【００２５】
［実施形態］
図１〜図８を参照して、本考案の実施形態に係る顕微鏡１０を説明する。実施形態の顕微鏡１０は、使用時には図１に示すように通常の顕微鏡１０として使用でき、不使用時には図２に示すようにコンパクトに折り畳むことができる顕微鏡１０となっている。
【００２６】
実施形態の顕微鏡１０は、図１に示すように、テーブルや机等の載置面上に載置されるベース部１１と、ベース部１１の中心部に垂直に取り付けられた支柱１８と、支柱１８に取り付けられたアーム部２２と、支柱１８とは反対側のアーム部２２に取り付けられた粗動ハンドルユニット３１と、粗動ハンドルユニット３１に取り付けられた鏡筒組立体３４とで構成されている。
【００２７】
ベース部１１は、図１、図３及び図４に示すように、載置面上に配置され、ベース部１１上に顕微鏡１０の各部品が設けられる土台となる部分である。ベース部１１は、略「Ｌ」字状に形成された第１ベース１２と第２ベース１３とで構成されており、第１ベース１２と第２ベース１３の端部がベース回動軸部１５により回動自在に連結されている。第１ベース１２は、一方がベース回動軸部１５となる部分を有する短尺の柱状体で形成され、他方が長尺な柱状体で形成されており、これらが所定角度を有する屈曲部１４を介して一体に形成されたものである。また、第２ベース１３は、第１ベース１２とベース回動軸部１５を挟んで略対称に形成されている。このとき、第１ベース１２と第２ベース１３のベース回動軸部１５となる部分はそれぞれが互い違いとなるように形成されている。そして、ベース部１１は、ベース回動軸部１５を中心として、第１ベース１２及び第２ベース１３が開閉動作を行なうことができるようになっている。なお、第１ベース１２と第２ベース１３の長尺側の端部の載置面上に置かれる側には、足部が設けられている。
【００２８】
また、ベース部１１は、図４に示すように、ベースジョイント１６を介して支柱と接続されるようになる。ベースジョイント１６は、一方がベース部１１のベース回動軸部１５と回動自在に接続されており、他方が後述する支柱１８の第１回動軸部１７と回動自在に接続された小片体で形成されている。このとき、ベースジョイント１６に形成されるベース回動軸部１５は、載置面に対して垂直方向となり、第１回動軸部１７は、水平方向となっている。
【００２９】
支柱１８は、図１、図３及び図４に示すように、一方がベース部１１に取り付けられ、このベース部１１に対して垂直に設けられている。支柱１８は、一方にベースジョイント１６と接続される第１回動軸部１７となる部分を有し、他方にアーム部２２に設けられたアームジョイント２３と接続される第２回動軸部２１となる部分を有する所定長さの柱状体で形成されている。支柱１８の第１回動軸部１７側は、顕微鏡１０の使用状態のときに、ベース部１１と組み合わされるように一部が切り欠かれた切り欠き部１９を有しており、また、支柱１８の第１回動軸部１７側の切り欠き部１９が形成された側とは反対側に突出した突出部２０が形成されている。そして、支柱１８の第１回動軸部１７は、ベースジョイント１６のベース回動軸部１５とは反対側と接続され、この切り欠き部１９にベースジョイント１６が組み込まれるようになっている。
【００３０】
アーム部２２は、図１、図３及び図５に示すように、一方の面が支柱１８に取り付けられ、他方の面に粗動ハンドルユニット３１が取り付けられている。アーム部２２は、所定の幅を有する直方体状の板体で形成されており、長手方向の一方の側面側に支柱１８の第２回動軸部２１と接続されるアームジョイント２３が設けられている。また、アーム部２２のアームジョイント２３が設けられた側の上方は一部が直方体状に切りかかれており、この切りかかれた部分が不使用時に顕微鏡１０を折り畳んだ際のベース部１１の一部が配置されるベース部収容部２４となっている。また、アームジョイント２３が設けられた側とは反対側の長手方向の側面側の上方側には、粗動ハンドルユニット３１が取り付けられる取付部２８となっている。また、この取付部２８の下部は、直方体状に切りかかれており、ステージ４１が取り付けられるステージ配置部２５が設けられている。また、アーム部２２の下側の短手方向の底面側は、開口されており、この開口に連通されてアーム部２２のアームジョイント２３が設けられた部分の内部が中空に形成された中空部２７を有している。この中空部２７は、後述するミラーユニット４７が設けられる部分となる。なお、アーム部２２の取付部２８が設けられた部分には顕微鏡１０のピントを調整する微動ハンドル機構２９が設けられており、アーム部２２の面積の大きい側面部の両側から微動ハンドル３０が突出して設けられている。
【００３１】
また、ステージ４１は、図１、図３及び図５に示すように、所定面積の台で形成されており、プレパラート等を載置させる部分となる。ステージ４１はアーム部２２のステージ配置部２５に回動自在に取り付けられている。このとき、ステージ４１は、ステージブラケット４２を介してアーム部２２に取り付けられている。ステージブラケット４２は、ステージ４１を取り付けるステージ固定部４３と、このステージ固定部４３に対して垂直に立設されたアーム部取付面４４とで形成されている。このアーム部取付面４４は、三角形状に形成されており、三角形の上方の頂点部分にアーム部２２に回動自在に取り付けられるステージ回動軸部４５（図１Ａ参照）が設けられている。また、アーム部取付面４４のアーム部２２側には、ステージ４１の回動を一方に規制する回動規制部材４６が設けられている。なお、ステージ４１は、ステージブラケット４２を設けることなく、直接アーム部２２に取り付けるようにしてもよい。その際は、ステージ４１にステージブラケット４２の構成を有するように形成すると好ましい。また、ステージ４１の裏面側にはコンデンサーレンズや虹彩絞り等が設けられている。
【００３２】
ミラーユニット４７は、図１、図３及び図５に示すように、アーム部２２の下側に取り付けられ、ステージ４１の裏側に配置されるようになり、光を反射することでステージ４１への光源となる部分である。ミラーユニット４７は、光源となるミラー４８と、ミラー４８が取り付けられてアーム部２２に接続されるミラーポール５２とで構成されている。ミラー４８は、円形の鏡面部４９とこの鏡面部４９を支持する支持枠５０とで構成されている。鏡面部４９は、この鏡面部４９の側面に設けられた一対の軸により回動自在に支持枠５０に取り付けられている。そして、鏡面部４９が回動することにより、最適な反射光をステージ４１に照射することができるようになる。また、支持枠５０にはミラーポール５２に挿入して固定される挿し込み部５１が設けられている。また、ミラーポール５２は、一方にアーム部２２の中空部２７に挿通されて配置される挿通部５３と、他方にミラー４８が取り付けられるミラー取付部５４とを有し、一部が直角に屈曲された「Ｌ」字状の柱状体で形成されている。挿通部５３は、アーム部２２の中空部２７に挿通されて移動可能に取り付けられる部分となる。この挿通部５３の一部には、アーム部２２の中空部２７内を円滑に移動できるように潤滑材、例えばグリスが塗布されるようになっている。また、ミラー取付部５４には、ミラー４８の挿し込み部５１が挿し込まれる挿し込み孔２６が形成されている。なお、ミラーの挿し込み部５１とミラーポール５２の挿し込み孔２６とは着脱自在となっている。
【００３３】
鏡筒組立体３４は、図１及び図３に示すように、鏡筒３５とスリーブ３９と接眼レンズ３６と対物レンズ３７とを有している。また、鏡筒組立体３４は、粗動ハンドルユニット３１を介してアーム部２２に取り付けられている。
【００３４】
粗動ハンドルユニット３１は、図１及び図３に示すように、鏡筒組立体３４を上下に移動させ、ピントの調節が行なわれる粗動ハンドル機構３２が内部に収容された柱状体で形成されており、対向する側面から粗動ハンドル３３が突出して設けられている。また、粗動ハンドルユニット３１は、一方の側面側がアーム部２２の側面に取り付けられており、対向する他方の側面側が鏡筒組立体３４の鏡筒３５に取り付けられている。
【００３５】
鏡筒３５は、図１及び図３に示すように、所定長さ及び所定の径を有する筒状体で形成されている。この鏡筒３５の上方側にはスリーブ３９が挿入される開口が設けられており、ステージ４１と近接する下方側には対物レンズ３７が設けられている。また、鏡筒３５の開口には、スリーブ３９を固定するための、スリーブ固定リング３８が設けられている。また、鏡筒３５の一方の側面側が粗動ハンドルユニット３１に取り付けられており、この粗動ハンドルユニット３１を介してアーム部２２に取り付けられている。
【００３６】
スリーブ３９は、図１及び図３に示すように、所定長さの筒状体で形成されており、鏡筒３５内を摺動可能に設けられている。また、スリーブ３９の一方側の端部に接眼レンズ３６が着脱自在に取り付けられている。なお、スリーブ３９の鏡筒３５内に設けられる側には、スリーブ３９の摺動が円滑に行なえるように潤滑剤、例えばグリスが塗布された摺動リング（不図示）が設けられている。また、スリーブ３９は鏡筒３５に設けられたスリーブ固定リング３８により、鏡筒３５に位置決め固定されるようになる。
【００３７】
接眼レンズ３６は、図１及び図３に示すように、使用者が観察する側のレンズである。また、対物レンズ３７は、図１及び図３に示すように、ステージ４１側に設けられ、被観察物を拡大するレンズである。なお、接眼レンズ及び対物レンズは公知のものであるので、詳細な説明は省略する。
【００３８】
スリーブカバー４０は、図２に示すように、顕微鏡１０の不使用時に接眼レンズ３６が外された部分のスリーブ３９を覆うためのものである。スリーブカバー４０は、スリーブ３９の端部が嵌入できる大きさであって、一方が閉口された筒状体で形成されている。このスリーブカバー４０を設けることで、接眼レンズを外した際に、スリーブ内に埃や塵が入らないようにすることができる。
【００３９】
次に、図６〜図８を参照して、実施形態の顕微鏡１０の折り畳みについて説明する。まず、図１に示す使用状態の顕微鏡１０から、図６Ａに示すように、第２回動軸部２１を回動させてアーム部２２と支柱１８とを平行にする。なお、図１に示した使用状態から折り畳みをはじめることもできる。
【００４０】
そして、図６Ｂに示すように、鏡筒組立体３４のスリーブ３９に取り付けられた接眼レンズ３６を取り外し、この取り外した部分にスリーブカバー４０を取り付ける。接眼レンズ３６は着脱自在に設けられているため、収容時に外れて損傷したり、なくなったりすることを抑制するためである。その後、スリーブカバー４０が取り付けられたスリーブ３９を鏡筒３５内に収容する。この収容は、スリーブ３９を固定していたスリーブ固定リング３８を緩め、摺動可能となったスリーブ３９を押し込めることで行なわれる。その後、スリーブ固定リング３８を再度締め、スリーブ３９を収容した位置で固定する。このようにすることで、顕微鏡１０の高さを縮めることができるようになる。
【００４１】
次に、図６Ｃに示すように、図６Ｂに示す状態からステージ４１を９０度回動させる。この回動は、アーム部２２と回動自在に取り付けられたステージブラケット４２のステージ回動軸部４５を軸としてステージ４１を回動させて行なわれる。このとき、回動する方向は任意であるが、ステージ４１の回動規制部材４６が設けられた側に回動されるようになる。このようにすることで、少なくともプレパラートを載置可能な大きさで形成されたステージを、水平状態から垂直状態とすることにより、顕微鏡の幅を狭めることができるようになる。なお、ステージは、ステージブラケットを介することなく、アーム部に取り付けるようにしてもよい。その場合は、ステージブラケットの構成をステージが有するように一体に形成される。
【００４２】
次に、図７Ａに示すように、図６Ｃの状態からミラーユニット４７をアーム部２２内に収容する。この収容は、ステージ４１が９０度回動されたことで、上方に移動可能となったミラーユニット４７のミラーポール５２を押圧し、アーム部２２内に押し込むことで行なわれる。
【００４３】
次に、図７Ａの状態からベース部１１を回動させて、図７Ｂに示すような、第１折り畳み位置Ｐ１に移動させる。このベース部１１の移動は、載置面と水平に載置された状態のベース部１１を、ベースジョイント１６と支柱１８が接続された第１回動軸部１７を軸として、支柱１８に対して２７０度回動させることで行なわれる。具体的には、図７Ａに示した状態からベース部１１をベースジョイント１６と共に時計方向に２７０度回動させる。この回動により、ベース部１１と支柱１８とが平行となるように配置され、このように配置された状態が、第１折り畳み位置Ｐ１となる。
【００４４】
次に、図７Ｂに示したような第１折り畳み位置Ｐ１に移動されたベース部１１を支柱１８と共に回動させ、図８Ａに示すような、第２折り畳み位置Ｐ２に移動させる。この移動は、アーム部２２のアームジョイント２３と支柱１８が接続された第２回動軸部２１を軸として、アーム部２２に対して支柱１８を１８０度回動させることで行われる。具体的には、図７Ｂに示した状態から、支柱１８をベース部１１と共に時計方向に１８０度回動させる。この回動により、ベース部１１と支柱１８とが第１折り畳み位置Ｐ１の位置からベースジョイント１６を挟んで反対側に移動される。そして、支柱１８とアーム部２２とは平行となる。また、アーム部２２に形成されたベース部収容部２４にベース部１１の一部としてのベース回動軸部１５がベースジョイント１６と共に配置されるようになる。このように配置された状態が、第２折り畳み位置Ｐ２となる。
【００４５】
次に、図８Ａに示したような第２折り畳み位置Ｐ２に移動されたベース部１１の第１ベース１２及び第２ベース１３をそれぞれ回動させ、図８Ｂに示すような第３折り畳み位置Ｐ３へ移動させる。この移動は、第２折り畳み位置Ｐ２のベース部１１において、ベースジョイント１６とベース部１１が接続されたベース回動軸部１５を軸として、第１ベース１２及び第２ベース１３をアーム部２２に近接させるように閉じることで行なわれる。このように配置された状態が、第３折り畳み位置Ｐ３となる。以上の手順により、顕微鏡の折り畳みが完了する。
【００４６】
また、折り畳まれた状態から顕微鏡１０を使用する状態に広げる場合は、折り畳む手順とは逆の手順で行なわれる。まず、図８Ｂに示す第３折り畳み位置Ｐ３からベース部１１を開き、図８Ａに示す第２折り畳み位置Ｐ２とする。その後、支柱１８を回動させて図７Ｂに示す第１折り畳み位置Ｐ１とする。そして、ミラーユニット４７を引き出した後、ステージ４１を回動させ、ステージ４１を載置面と水平とする（図６Ｂ参照）。その後、スリーブ３９を引き出し、スリーブカバー４０を外し、接眼レンズ３６を取り付けることで、顕微鏡の使用可能な状態となる（図６Ａ参照）。
【００４７】
このようにすることで、不使用時にコンパクトに折り畳むことができ、収容や持ち運びが容易な顕微鏡とすることができる。
【符号の説明】
【００４８】
１０：顕微鏡  １１：ベース部  １２：第１ベース  １３：第２ベース  １４：屈曲部  １５：ベース回動軸部  １６：ベースジョイント  １７：第１回動軸部  １８：支柱  １９：切り欠き部  ２０：突出部  ２１：第２回動軸部  ２２：アーム部  ２３：アームジョイント  ２４：ベース部収容部  ２５：ステージ配置部  ２６：挿し込み孔  ２７：中空部  ２８：取付部  ２９：微動ハンドル機構  ３０：微動ハンドル  ３１：粗動ハンドルユニット  ３２：粗動ハンドル機構  ３３：粗動ハンドル  ３４：鏡筒組立体  ３５：鏡筒  ３６：接眼レンズ  ３７：対物レンズ  ３８：スリーブ固定リング  ３９：スリーブ  ４０：スリーブカバー  ４１：ステージ  ４２：ステージブラケット  ４３：ステージ固定部  ４４：アーム部取付面  ４５：ステージ回動軸部  ４６：回動規制部材  ４７：ミラーユニット  ４８：ミラー  ４９：鏡面部  ５０：支持枠  ５１：挿し込み部  ５２：ミラーポール  ５３：挿通部  ５４：ミラー取付部  Ｐ１：第１折り畳み位置  Ｐ２：第２折り畳み位置  Ｐ３：第３折り畳み位置  
【図１】
0003188006.tif 000003
【図２】
0003188006.tif 000004
【図３】
0003188006.tif 000005
【図４】
0003188006.tif 000006
【図５】
0003188006.tif 000007
【図６】
0003188006.tif 000008
【図７】
0003188006.tif 000009
【図８】
0003188006.tif 000010